(57)【要約】コンプレッサ回転数制御の上限を来たした場合に、酸素濃度を上昇させ、酸素濃縮装置の使用時間の延長を可能とする装置として、酸素濃度センサの検出値に基づいて該コンプレッサの回転数を制御すると共に、該酸素濃度センサの検出値、該圧力センサの検出値および該吸着筒の使用時間に基づいて吸湿劣化を判断し、吸湿劣化の判断基準を満たした場合に該パージ工程の時間を初期設定時間よりも短くする制御手段を備えることを特徴とする酸素濃縮装置を提供する。
2014046297.tif 000002
【特許請求の範囲】
【請求項１】
酸素よりも窒素を選択的に吸着する吸着剤を充填した複数の吸着筒と、該吸着筒へ加圧空気を供給するコンプレッサと、該コンプレッサおよび各吸着筒の間の流路を順次切り換え、各吸着筒へ加圧空気を供給し酸素濃縮ガスを取り出す吸着工程、各吸着筒を減圧し吸着剤を再生する脱着工程、吸着工程側吸着筒からの酸素濃縮ガスを脱着工程側吸着筒へ導入するパージ工程を所定タイミングで繰り返すための流路切換手段と、酸素濃縮ガスを所望の流量に調整して供給する流量設定手段と、酸素濃縮ガス濃度を測定する酸素濃度センサ、該吸着筒の圧力を検知する圧力センサと、該コンプレッサ、該流路切換手段の動作を制御する制御手段とを具備した圧力変動吸着型酸素濃縮装置において、
該酸素濃度センサの検出値に基づいて該コンプレッサの回転数を制御すると共に、該酸素濃度センサの検出値、該圧力センサの検出値および該吸着筒の使用時間に基づいて吸湿劣化を判断し、吸湿劣化の判断基準を満たした場合に該パージ工程の時間を初期設定時間よりも短くするように該流路切換手段の切換時間を制御する制御手段を備えることを特徴とする酸素濃縮装置。
【請求項２】
該吸湿劣化の判断基準が、該酸素濃度センサの検出値が所定濃度値以下であること、該コンプレッサの回転数が制御上限値であり、且つ該圧力センサの検出値が当該条件でのコンプレッサ回転時における装置使用初期時の圧力値以上であること、吸着筒の使用時間が所定時間以上であること、の３条件を満たすことを特徴とする請求項１記載の酸素濃縮装置。
【請求項３】
該吸湿劣化の判断基準が、該酸素濃度センサの検出値が所定濃度値以下であること、該コンプレッサの回転数が該流量設定手段の最大流量設定値におけるコンプレッサの回転数であり、且つ該圧力センサの検出値が当該条件でのコンプレッサ回転時における装置使用初期時の圧力値以上であること、吸着筒の使用時間が所定時間以上であること、の３条件を満たすことを特徴とする請求項１記載の酸素濃縮装置。
【請求項４】
該パージ工程の時間を初期設定時間よりも短くするように該流路切換手段の切換時間を制御した後、再度、該吸湿劣化の判断基準を満たした場合、該パージ工程の時間を変更後の設定時間よりも短くするように該流路切換手段の切換時間を制御することを特徴とする、請求項２または請求項３に記載の酸素濃縮装置。
【請求項５】
該酸素濃度センサの検出値が９０％以下であること、吸着筒の使用時間が２０００時間以上であること、を特徴とする、請求項２〜４の何れかに記載の酸素濃縮装置。
【発明の詳細な説明】
【技術分野】
【０００１】
本発明は、酸素よりも窒素を優先的に吸着する吸着剤を用いた圧力変動吸着型の酸素濃縮装置に関するものであり、特に慢性呼吸器疾患患者などに対して行われる酸素吸入療法に使用する医療用酸素濃縮装置に関するものである。
【背景技術】
【０００２】
近年、喘息、肺気腫症、慢性気管支炎等の呼吸器系器官の疾患に苦しむ患者が増加する傾向にあり、その治療法として最も効果的なもののひとつに酸素吸入療法がある。かかる酸素吸入療法とは、酸素ガスあるいは酸素濃縮ガスを患者に吸入させるものである。酸素の供給源として、酸素濃縮装置、液体酸素、酸素ガスボンベ等が知られているが、使用時の便利さや保守管理の容易さから、在宅酸素療法には酸素濃縮装置が主流で用いられている。
酸素濃縮装置は、空気中に存在する約２１％の酸素を分離濃縮して使用者に供給する装置である。それには酸素を選択的に透過する膜を用いた膜式酸素濃縮装置と、窒素または酸素を優先的に吸着しうる吸着剤を用いた圧力変動吸着型酸素濃縮装置があるが、高濃度の酸素が得られる点から圧力変動吸着型酸素濃縮装置が主流になっている。
圧力変動吸着型酸素濃縮装置は、酸素よりも窒素を選択的に吸着する吸着剤である５Ａ型や１３Ｘ型、Ｌｉ−Ｘ型などのモレキュラーシーブゼオライトを充填した吸着筒に、コンプレッサで圧縮された空気を供給することにより加圧条件下で窒素を吸着させ、未吸着の酸素を得る加圧・吸着工程と、前記吸着筒内の圧力を大気圧またはそれ以下に減じて、吸着剤に吸着された窒素をパージすることで吸着剤の再生を行う減圧・脱着工程を交互に繰り返し行うことで、高濃度の酸素濃縮ガスを連続的に生成することができる。
【先行技術文献】
【特許文献】
【０００３】
特開２００２−２５３６７５号公報
特開２０００−５１６８５４号公報
【発明の概要】
【発明が解決しようとする課題】
【０００４】
圧力変動吸着型酸素濃縮装置では、原料空気中に含まれる水分が吸着剤に吸着し、吸着剤の経時的な吸湿劣化により酸素濃度の低下が引き起される。一定濃度の酸素濃度を供給する酸素濃縮装置では、酸素濃度の低下を補償するために、コンプレッサの回転数を上げて吸着筒の吸着圧を上げることで酸素濃度を上げる制御を行っている（特開２００２−２５３６７５号公報に記載）。しかし、コンプレッサの回転数を上げることで酸素濃度を補償するにも限界がある。
生成する酸素濃度の経時的変化や、装置の経時劣化に伴う酸素濃度低下を補償し、酸素濃度を一定に保持するため、酸素濃縮気体の酸素濃度を酸素センサで検知し、コンプレッサ風量や吸脱着のサイクルタイムなどをフィードバック制御することで製品ガス中の酸素濃度を維持する装置も知られている（特開２０００−５１６８５４号公報に記載）。しかし、吸脱着工程時間の切り換えサイクルタイムの変更は、切り換え時に一時的な酸素濃度の変動を来たし、所定濃度に到達するのに時間を要するなど、安定制御を欠く面がある。
本発明者は、吸着工程で生成する酸素の一部を脱着工程側の吸着筒に流し、窒素の脱着を促進するパージ工程の最適時間が、吸着剤の吸湿劣化により短時間側にシフトすることを見出し、コンプレッサ回転数制御の上限値に達した場合にパージ時間を短くすることで酸素濃度を上昇させることができ、酸素濃縮装置の使用時間の延長が可能であることを見出した。
【課題を解決するための手段】
【０００５】
本発明は、以下の酸素濃縮装置を提供するものである。
１．酸素よりも窒素を選択的に吸着する吸着剤を充填した複数の吸着筒と、該吸着筒へ加圧空気を供給するコンプレッサと、該コンプレッサおよび各吸着筒の間の流路を順次切り換え、各吸着筒へ加圧空気を供給し酸素濃縮ガスを取り出す吸着工程、各吸着筒を減圧し吸着剤を再生する脱着工程、吸着工程側吸着筒からの酸素濃縮ガスを脱着工程側吸着筒へ導入するパージ工程を所定タイミングで繰り返すための流路切換手段と、酸素濃縮ガスを所望の流量に調整して供給する流量設定手段と、酸素濃縮ガス濃度を測定する酸素濃度センサ、該吸着筒の圧力を検知する圧力センサと、該コンプレッサ、該流路切換手段の動作を制御する制御手段とを具備した圧力変動吸着型酸素濃縮装置において、
該酸素濃度センサの検出値に基づいて該コンプレッサの回転数を制御すると共に、該酸素濃度センサの検出値、該圧力センサの検出値および該吸着筒の使用時間に基づいて吸着剤の吸湿劣化を判断し、吸湿劣化の判断基準を満たした場合に該パージ工程の時間を初期設定時間よりも短くするように該流路切換手段の切換時間を制御する制御手段を備えることを特徴とする酸素濃縮装置。
２．該吸湿劣化の判断基準が、
該酸素濃度センサの検出値が所定濃度値以下であること、
該コンプレッサの回転数が制御上限値であり、且つ、該圧力センサの検出値が当該条件でのコンプレッサ回転時における装置使用初期時の圧力値以上であること、
吸着筒の使用時間が所定時間以上であること、
の３条件を満たすことを特徴とする上記１記載の酸素濃縮装置。
３．該吸湿劣化の判断基準が、
該酸素濃度センサの検出値が所定濃度値以下であること、
該コンプレッサの回転数が該流量設定手段の最大流量設定値におけるコンプレッサの回転数であり、且つ、該圧力センサの検出値が当該条件でのコンプレッサ回転時における装置使用初期時の圧力値以上であること、
吸着筒の使用時間が所定時間以上であること、
の３条件を満たすことを特徴とする上記１記載の酸素濃縮装置。
４．該吸湿劣化の判断基準を満たし、該パージ工程の時間を初期設定時間よりも短くするように該流路切換手段の切換時間を制御した後、再度、該吸湿劣化の判断基準を満たした場合、該パージ工程の時間を変更後の設定時間よりも短くするように該流路切換手段の切換時間を制御することを特徴とする、上記２または３に記載の酸素濃縮装置。
５．該酸素濃度センサの検出値が９０％以下であること、吸着筒の使用時間が２０００時間以上であること、を特徴とする、上記２〜４の何れかに記載の酸素濃縮装置。
【発明の効果】
【０００６】
本発明の酸素濃縮装置によると、吸着剤の経時劣化に伴う窒素吸着性能の低下、それに伴う酸素濃縮ガスの酸素濃度低下に対し、速やかに濃度上昇を図ることができ、長期使用が可能な酸素濃縮装置を提供することが出来る。
【図面の簡単な説明】
【０００７】
図１は、本発明の実施態様例である圧力変動吸着型酸素濃縮装置のフローを示した概略構成図を示す。また、図２は、本発明の圧力変動吸着型酸素濃縮装置の吸脱着の各工程の供給弁、排気弁、均圧弁の開閉切り換えタイミングを示す。
図３は、吸着剤の吸湿劣化に伴う酸素濃度低下とパージ時間の関係を、また、図４、図５は、酸素濃縮装置の経時劣化に伴う酸素濃度変化とコンプレッサ回転数制御、パージ時間制御の関係を示す。
【発明を実施するための形態】
【０００８】
本発明の酸素濃縮装置の実施態様例を、図面を用いて説明する。
図１は、本発明の一実施形態である圧力変動吸着型の酸素濃縮装置を例示した概略装置構成図である。本発明の酸素濃縮装置は、加圧空気を供給するコンプレッサ１０２、酸素よりも窒素を選択的に吸着する吸着剤を充填した吸着筒１０７Ａ，１０７Ｂ、吸着工程、脱着工程や均圧工程等のシーケンスを切り換える流路切換手段である供給弁１０５Ａ，１０５Ｂ、排気弁１０６Ａ，１０６Ｂ、均圧弁１１０を備える。加圧空気から分離生成された酸素濃縮ガスは、コントロールバルブ１１３で所定流量に調整され、フィルタ１１５で除塵され後、鼻カニューラ１１６を用いて使用者に供給される。
先ず、外部から取り込まれる原料空気は、塵埃などの異物を取り除くための外部空気取り込みフィルタ１０１を備えた空気取り込み口から装置内に取り込まれる。このとき、通常の空気中には、約２１％の酸素ガス、約７７％の窒素ガス、０．８％のアルゴンガス、二酸化炭素ほかのガスが１．２％含まれている。かかる装置では、呼吸用ガスとして必要な酸素ガスを濃縮して取り出す。
酸素濃縮ガスの取り出しは、酸素分子よりも窒素分子を選択的に吸着するゼオライトなどからなる吸着剤が充填された吸着筒１０７に対して、供給弁１０５Ａ，１０５Ｂ、排気弁１０６Ａ，１０６Ｂを開閉することにより、対象とする吸着筒１０７Ａ，１０７Ｂを順次切り換えながら、コンプレッサ１０２により加圧した原料空気を供給し、吸着筒内で原料空気中に含まれる約７７％の窒素ガスを選択的に吸着除去することにより行われる。かかる吸着剤としては、５Ａ型、１３Ｘ型、Ｌｉ−Ｘ型等のモレキュラーシーブゼオライト等が用いることができる。
前記の吸着筒１０７は、吸着剤を充填した円筒状容器で形成され、通常、１筒式、２筒式の他に３筒以上の多筒式が用いられるが、連続的かつ効率的に原料空気から酸素濃縮ガスを製造するためには、２筒式や多筒式の吸着筒を使用することが好ましい。
また、前記のコンプレッサ１０２としては、圧縮機能のみ、或いは圧縮、真空機能を有するコンプレッサとして２ヘッドのタイプの揺動型空気圧縮機が用いられるほか、スクリュー式、ロータリー式、スクロール式などの回転型空気圧縮機が用いられる場合もある。また、このコンプレッサを駆動する電動機の電源は、交流であっても直流であってもよい。
加圧状態の吸着筒内で空気中の窒素ガスを吸着剤に吸着させ、吸着されなかった酸素を主成分とする酸素濃縮ガスが吸着筒の製品端から取り出され、吸着筒へ逆流しないように設けられた逆止弁１０８Ａ，１０８Ｂを介して、製品タンク１１１に流入する。
一方、吸着筒内に充填された吸着剤に吸着された窒素ガスは、新たに導入される原料空気から再度窒素ガスを吸着するために、吸着剤から脱着させパージする必要がある。このために、吸着筒１０７Ａ，１０７Ｂを排気弁１０６Ａ，１０６Ｂを介して排気ラインに接続し、加圧状態から大気開放状態に切り換え、加圧状態で吸着されていた窒素ガスを脱着させて大気中に排気し吸着剤を再生させる。さらにこの脱着工程において、窒素の脱着効率を高めるため、オリフィス１０９Ａ，１０９Ｂおよび均圧弁１１０を介して吸着工程中の吸着筒の製品端側から生成された酸素濃縮ガスの一部をパージガスとして脱着工程中の吸着筒に逆流させるパージ工程を行う。
製品タンク１１１に蓄えられた酸素濃縮ガスは、例えば９５％といった高濃度の酸素ガスを含んでおり、医師の処方によって必要とされる酸素流量を患者自身が設定する。調圧弁１１２、コントロールバルブ１１３等の流量調整手段によってその圧力と供給流量が制御され、処方量の酸素濃縮ガスが患者に供給される。一方、患者に供給される酸素濃縮ガスの流量及び酸素濃度は、酸素濃度センサ・流量センサ１１７で検知され、検知結果に基づいてコンプレッサ１０２の回転数や流路切換手段である供給弁１０５、排気弁１０６、均圧弁１１０の開閉時間をＣＰＵ１２０等の演算手段で制御し、酸素生成をコントロールしている。
吸着圧は吸着筒内圧或いはコンプレッサ吐出圧で計測され、図１に示すようにコンプレッサ吐出側の配管に設けた圧力センサ、或いは吸着筒に設けた圧力センサで検知する。
図２は、本発明の一実施形態である酸素濃縮装置のコンプレッサと各吸着筒間の流路に設けられた供給弁および排気弁と、吸着筒の下流側で吸着筒間を均圧する均圧弁とを順次切り換える流路切換手段の開閉タイミングの概略図である。
２筒式の圧力変動吸着型の酸素濃縮装置では、図２に示すように、一方の吸着筒Ａが吸着工程を行っている場合は、他方の吸着筒Ｂでは脱着工程を行い、供給弁Ａ，Ｂ、排気弁Ａ，Ｂ及び均圧弁の開閉を制御することにより、吸着工程、脱着工程を各々逆位相の形で順次切り換え、酸素を連続的に生成している。
吸着剤の再生効率を上げる為、吸着工程で生成した酸素の一部を均圧弁を介して脱着工程側吸着筒に流すパージ工程を組み込み、一方の吸着筒Ａについて吸着工程、パージ生成工程、脱着工程、パージ排気工程を、他方の吸着筒Ｂについて脱着工程、パージ排気工程、吸着工程、パージ生成工程を交互に切り換える定常シーケンスを行うことにより、効率的に酸素を生成することが出来る。
パージ工程は、図２の斜線部で示すように、例えば、吸着工程で酸素を生成している吸着筒Ｂから酸素を取り出すと共に、均圧弁を介して脱着工程で窒素を減圧排気している吸着筒Ａに生成酸素の一部を流し、吸着剤の窒素脱着再生効率を上げる工程である。吸着筒Ｂではパージ用の酸素を生成するパージ生成工程、吸着筒Ａではその酸素を製品端からパージガスとして流し系外に排気するパージ排気工程を行っている。
このパージ工程時間を長くすると吸着剤の再生効率も上がり、結果として生成酸素濃度の上昇が認められる。一方、パージ工程時間を長くし過ぎると吸着筒Ｂから製品タンク側への酸素取り出し量が減少する他、取り出し量によっては、窒素破過により生成酸素濃度の低下を招き、製品ガスとしての生成量が少なくなるデメリットもある。吸着工程や脱着工程の時間変更を含むシーケンス全体を制御した場合には、シーケンス全体のバランスが崩れ、生成酸素濃度が安定するのに時間を要するため、本発明ではパージ工程時間を制御する。
酸素濃縮装置を長期間使用ことにより、吸着剤は吸湿劣化し、生成する酸素濃縮ガスの酸素濃度の低下を招く。窒素吸着剤として使用するモレキュラーシーブゼオライトは水分吸着能が強く、脱着工程、パージ工程では完全に吸着剤に吸着した水分を取り除くことは出来す、窒素吸着性能の低下を引き起こす。通常、かかる酸素濃度の低下を補償するために、酸素濃縮装置のコンプレッサの回転数を上げ、原料空気の供給量を増し、吸着筒の吸着圧を上げることで酸素濃度を上げる制御を行っている。
吸湿劣化に伴う生成酸素濃縮ガスの酸素濃度に対して、パージ時間の最適化を検討した。
図３に示すように、パージ時間の最適値は吸着剤の吸湿劣化に従って短時間側にシフトし、吸湿劣化パージ時間を短くすることによって酸素濃度の上昇を図ることが出来る。初期設定時のパージ時間３．５秒に対して、劣化時Ａ、劣化時Ｂと吸着剤の経時劣化が進むに従ってパージ時間の最適値が２．５秒、２．０秒と短時間側にシフトする。そこでパージ時間を短時間側に変更することで、酸素濃度は上昇する。かかるパージ時間の短時間側への変更に際しても、最適時間に一時に短縮するのではなく、０．１秒、０．２秒といった小間隔で漸次変更していくことが、生成酸素濃度への影響が少なく好ましい。
酸素濃度の低下原因を考慮せずに不用意に吸脱着工程のサイクルタイムを変更すると、酸素生成の不安定化を招く。吸湿劣化が起こっていることを複数のパラメータから判断し、酸素濃縮ガスの酸素濃度の低下が吸着剤の吸湿劣化が原因であることを事前に把握した上でパージ工程時間の所定の短時間側へのシフト制御をすることが重要である。
吸着剤の吸湿劣化は、生成酸素濃縮ガス濃度が所定濃度以下に低下すること、吸着圧が所定値以上に上昇する現象を伴う。酸素濃度が９０％以下、当該酸素濃縮装置が保証する酸素濃縮ガスの最低値或いはそれ以上の値にするのが好ましい。たとえば高濃度酸素濃縮ガスを供給する医療用の酸素濃縮装置の場合８０〜９０％の間で閾値を設定するのが好ましい。
吸着圧は、吸着筒内圧やコンプレッサ吐出圧など圧力センサの設置位置によって値が若干異なるが何れの値を用いて制御を行っても良い。酸素濃縮装置の場合、吸脱着工程の間で圧力は大きく変動する。また消費電力の低減や酸素濃度の補償などを目的として、流量設定値によってコンプレッサ回転数を制御を行っている、この場合、酸素濃度を検知してコンプレッサ回転数をフィードバック制御しており、吸着圧は一定の閾値を示してはない。また、コンプレッサや電磁弁の異常故障、配管異常などにより吸着圧が低下するなど、吸着剤に吸湿劣化以外の要因によっても圧力値が変化する。
吸着圧力の変動が、設定流量や酸素濃度等によるコンプレッサ回転数の正常制御に基づくものや、機器異常に基づくものなど、吸着剤の吸湿劣化以外要因に基づくものを排除するため、その判断基準として、１）コンプレッサの回転数が制御上限値であり、且つ該圧力センサの検出値が当該条件でのコンプレッサ回転時における装置使用初期時の圧力値以上であること、あるいは２）コンプレッサの回転数が流量設定手段の最大流量設定値におけるコンプレッサの回転数であり、且つ該圧力センサの検出値が当該条件でのコンプレッサ回転時における装置使用初期時の圧力値以上であること等の条件を設定するのが好ましい。その装置の吸着圧が正常範囲以上の圧力値を示すことを検知する。その他、流量設定値毎に予め定めたコンプレッサ運転条件での初期吸着圧を基準に、吸着圧上昇を検知することも可能である。
また、かかる吸着剤の吸湿劣化は一定以上の期間、酸素濃縮装置を運転した結果、生じるものであり、運転開始間もない時間で本発明の制御が働くことは他の機器異常が生じていることが示唆される。従って、吸着筒の使用開始後、所定時間以上経過していることが本発明のパージ時間の短時間側シフト制御を行う前提となる。酸素濃縮装置は、通常は５℃から３５℃といった生活環境下で使用されるのが好ましいが、氷点下の厳冬期や４０℃以上の猛暑下の条件でも使用される。吸着剤の吸湿劣化は、特に５℃以下や氷点下といった低温環境で顕著に表れる。装置の使用環境によって吸着剤の劣化速度は大きく変動する。従って、吸着筒の使用時間は、少なくとも５００時間以上、好ましくは２０００時間以上経過しているのが好ましい。
図４、図５に本発明の酸素濃縮装置において、生成酸素濃縮ガスの酸素濃度低下に伴うコンプレッサ回転数アップによる酸素濃度補償制御を行い、コンプレッサ回転数制御の限界後に、パージ時間の短時間シフトを行った場合の酸素濃縮ガスの酸素濃度、コンプレッサ回転数、パージ時間の関係を示す。
図４に示すように、酸素濃縮装置の運転初期に酸素濃度９５％の値を示すも、経時的に吸着剤が吸湿劣化することで生成酸素濃縮ガスの酸素濃度が低下し、９０％を切った時点でコンプレッサ回転数をアップし吸着圧を上げることで酸素濃度を９０％に維持する。吸湿劣化が進行するに従ってコンプレッサ回転数を更に上げる制御を行うも限界があり、コンプレッサ回転数の上限に達した後、酸素濃度が８８％を切った時点でパージ時間の短時間側シフトを行う（劣化時Ａ）。これにより、一時的に生成酸素濃縮ガスの酸素濃度は上昇する。更に経時劣化が進み、酸素濃度が再度８８％を切ると、更にパージ時間を短時間側にシフトさせる制御を行う（劣化時Ｂ）。これにより、再度、生成酸素濃縮ガスの酸素濃度は上昇する。
図５は劣化時Ａ，Ｂにおける酸素濃度補償制御を併用した例を示す。酸素濃縮装置の運転初期に酸素濃度９５％の値を示すも、経時的に吸着剤が吸湿劣化することで生成酸素濃縮ガスの酸素濃度が低下し、９０％を切った時点ａでコンプレッサ回転数をアップし吸着圧を上げることで酸素濃度を９０％に維持する。吸湿劣化が更に進行し、コンプレッサ回転数の上限に達した時点ｂで酸素濃度補償制御は停止する。その後、酸素濃度が８８％を切った時点ｃでパージ時間の短時間側シフトを行う（劣化時Ａ）。これにより、一時的に生成酸素濃縮ガスの酸素濃度は上昇する。酸素濃度の上昇と共に酸素濃度補償制御が再開し、コンプレッサ回転数が下がる。更に経時劣化が進み、再度コンプレッサ回転数の上限に達した時点ｄで酸素濃度補償制御は停止し、酸素濃度が再度８８％を切った時点ｅで、更にパージ時間を短時間側にシフトさせる制御を行う（劣化時Ｂ）。これにより、再度、生成酸素濃縮ガスの酸素濃度は上昇する。その後は、劣化時Ａと同様に酸素濃度補償制御の再開、コンプレッサ回転数の低下が起こり、コンプレッサ回転数の上限値への到達ｆ、酸素濃度の低下が起こる。
かかるパージ時間のシフト制御は、図４，図５では２回の例を示しているが、２回乃至５回程度繰り返すことで、生成酸素濃度を維持し、長期間の酸素濃縮装置の使用が可能となる。パージ時間を幾らに設定するかは、酸素濃縮装置の生成能力、供給酸素濃度などによって異なる。
酸素濃縮装置の起動時には通常デフォルトで設定されたパージ工程時間で運転を開始する。生成酸素濃縮ガスの酸素濃度、吸着圧、吸着筒の運転時間の上記３条件を基に吸着剤の吸湿劣化を判断し、例えば、酸素濃度が８８％未満、コンプレッサの最大回転数で運転時の吸着圧が初期圧以上、吸着筒使用時間が２０００時間以上の場合、パージ時間を３．５秒から２．５秒に変更する（劣化時Ａ）。パージ時間の変更回数を記憶しておき、装置のＯＮ／ＯＦＦを繰り返す中、例えば３回以上吸湿劣化３条件を満たしてパージ時間の短時間シフトを行った場合には、次回起動時には、劣化時Ａのパージ時間２．５秒の条件で起動する。
また、その後、再度上記３条件を満たした場合は、劣化時Ｂとしてパージ時間を２．５秒から２秒に短時間シフトする。これにより酸素濃度が上昇し、酸素濃縮装置の使用期間を延長することができる。
【産業上の利用可能性】
【０００９】
本発明の酸素濃縮装置は医療用酸素濃縮装置として、喘息、肺気腫症、慢性気管支炎等の呼吸器系器官疾患に苦しむ患者に対する酸素吸入療法のための酸素供給源に使用される。また本発明が特徴とする長期に渡り安定的に酸素を供給可能な装置として利用可能である。
【図１】
2014046297.tif 000003
【図２】
2014046297.tif 000004
【図４】
2014046297.tif 000005
【図５】
2014046297.tif 000006
【図３】
2014046297.tif 000007
【国際調査報告】
2014046297.tif 000008
2014046297.tif 000009
2014046297.tif 000010
2014046297.tif 000011